(57)【要約】【課題】  正規ユーザの追加登録に車両外部のデータベースへのユーザ登録を必須にすると共に、イモビライザ有効期限の更新処理が自動的に行われる車両盗難防止システム及び車両用盗難防止装置を提供すること。【解決手段】  通信機能を有する車載装置制御装置（車両用盗難防止装置）と通信局（センタ）とを含む車両盗難防止システムにおいて、車載装置制御装置は、車両ユーザが正規ユーザであるか否かを認証し、正規ユーザとして新たに登録する車両ユーザのユーザ情報を取得し、正規ユーザが認証されたときに新たに登録する車両ユーザのユーザ情報を通信局に転送し、通信局は、受信したユーザ情報を所定の記憶装置に記憶した上で、その旨伝達する通知信号を発信元車載装置制御装置へ送信し、車載装置制御装置は、通信局から通知信号を受信したときに新たに登録する車両ユーザから取得したユーザＩＤコードに対応する照合用ＩＤコードを新たに追加登録する。【選択図】  図１
2005254868.tif 000002
【特許請求の範囲】
【請求項１】
車両に搭載され、通信機能を有し、ユーザから取得したユーザＩＤコードと当該車両に予め登録された照合用ＩＤコードとが一致した場合に当該車両の所定の車載装置の作動を許可する車載装置制御装置と、
前記車載装置制御装置と通信する通信局と、を含む車両盗難防止システムであって、
前記車載装置制御装置は、
車両ユーザが当該車両の正規ユーザであるか否かを認証するユーザ認証手段と、
当該車両の正規ユーザとして新たに登録する車両ユーザのユーザ情報を取得するユーザ情報取得手段と、
前記ユーザ認証手段により正規ユーザが認証されたときに前記ユーザ情報取得手段によって取得された前記新たに登録する車両ユーザのユーザ情報を前記通信局に転送する転送手段と、を有し、
前記通信局は、
前記車載装置制御装置から受信した前記ユーザ情報を所定の記憶装置に記憶した上で、その旨伝達する通知信号を該ユーザ情報の発信元の車載装置制御装置へ送信し、
前記車載装置制御装置は、更に、
前記通信局から前記通知信号を受信したときに前記新たに登録する車両ユーザから取得したユーザＩＤコードに対応する照合用ＩＤコードを新たに追加登録するコード登録手段とを有する、ことを特徴とする車両盗難防止システム。
【請求項２】
請求項１記載の車両盗難防止システムであって、
前記車載装置制御装置は、
前記照合用ＩＤコードに有効期限を設定し、管理するコード管理手段を更に有し、
前記コード管理手段は、前記ユーザ認証手段により車両ユーザが当該車両の正規ユーザであると認証されたときに、そのユーザのユーザＩＤコードに対応する照合用ＩＤコードに設定された有効期限を自動的に更新する、ことを特徴とする車両盗難防止システム。
【請求項３】
請求項１又は２記載の車両盗難防止システムであって、
前記ユーザ認証手段は、生体認証を利用して、車両ユーザが当該車両の正規ユーザであるか否かを認証する、ことを特徴とする車両盗難防止システム。
【請求項４】
請求項１又は２記載の車両盗難防止システムであって、
前記ユーザ認証手段は、車両ユーザが保持する無線発信器から所定のＩＤ信号を受信し、予め保持する正規ユーザのＩＤ信号と照合することによって、該車両ユーザが当該車両の正規ユーザであるか否かを認証する、ことを特徴とする車両盗難防止システム。
【請求項５】
車両に搭載され、通信機能を有し、ユーザから取得したユーザＩＤコードと当該車両に予め登録された照合用ＩＤコードとが一致した場合に当該車両の所定の車載装置の作動を許可する車両用盗難防止装置であって、
車両ユーザが当該車両の正規ユーザであるか否かを認証するユーザ認証手段と、
当該車両の正規ユーザとして新たに登録する車両ユーザのユーザ情報を取得するユーザ情報取得手段と、
前記ユーザ認証手段により正規ユーザが認証されたときに前記ユーザ情報取得手段によって取得された前記新たに登録する車両ユーザのユーザ情報を第一の通信局に転送する転送手段と、
第二の通信局から前記新たに登録する車両ユーザのユーザ情報が所定の記憶装置に記憶されたことを知らせる信号を受信したときに前記新たに登録する車両ユーザから取得したユーザＩＤコードに対応する照合用ＩＤコードを新たに追加登録するコード登録手段とを有する、ことを特徴とする車両用盗難防止装置。
【請求項６】
請求項５記載の車両用盗難防止装置であって、
前記照合用ＩＤコードに有効期限を設定し、管理するコード管理手段を更に有し、
前記コード管理手段は、前記ユーザ認証手段により車両ユーザが当該車両の正規ユーザであると認証されたときに、そのユーザのユーザＩＤコードに対応する照合用ＩＤコードに設定された有効期限を自動的に更新する、ことを特徴とする車両用盗難防止装置。
【請求項７】
請求項５又は６記載の車両用盗難防止装置であって、
前記ユーザ認証手段は、生体認証を利用して、車両ユーザが当該車両の正規ユーザであるか否かを認証する、ことを特徴とする車両用盗難防止装置。
【請求項８】
請求項５又は６記載の車両用盗難防止装置であって、
前記ユーザ認証手段は、車両ユーザが保持する無線発信器から所定のＩＤ信号を受信し、予め保持する正規ユーザのＩＤ信号と照合することによって、該車両ユーザが当該車両の正規ユーザであるか否かを認証する、ことを特徴とする車両用盗難防止装置。
【発明の詳細な説明】
【技術分野】
【０００１】
本発明は、概して、イモビライザ・システムを利用した車両盗難防止システム及び車両用盗難防止装置に係り、特に、正規ユーザの追加登録に車両外部のデータベースへのユーザ登録を必須にすると共に、イモビライザ有効期限の更新処理が自動的に行われる車両盗難防止システム及び車両用盗難防止装置に関する。
【背景技術】
【０００２】
車両用セキュリティシステムとして、主として盗難防止用であるイモビライザ（電子式移動ロック装置）が知られている。イモビライザは欧州では１９９７年から標準仕様として装着が義務付けられており、日本でも装着車は増加傾向にある。
【０００３】
イモビライザでは、トランスポンダと呼ばれる小型の電子通信チップが車両のエンジンキー（のグリップ部分）内に埋め込まれ、エンジンキーを車両側のキーシリンダに差し込んだ際にトランスポンダに予め記録されたＩＤコードがキーシリンダに装着されたアンテナに送信され、読み取られる。この読み取られたＩＤコードは車両側のＥＣＵが予め保持するＩＤコードと照合される。これらＩＤコードが一致すれば、使用されたエンジンキーが正規のエンジンキーであり、正規ユーザによる利用であることが認証され、エンジンの点火・燃料の噴射が許可される。他方、エンジンキーのＩＤコードが車両側のＩＤコードと一致しなかった場合、エンジンの点火・燃料の噴射は許可されず、当該エンジンキーを使用してエンジンを始動させることはできない。
【０００４】
このようなイモビライザ・システムにおいて、ＩＤコードに有効期限を設定できるようにし、更新操作を行わなければ正規のエンジンキーであっても設定された有効期限が経過した時点でイモビライザを解除できなくなるシステムが提案されている（例えば、特許文献１参照）。
【特許文献１】特開２００３−６４９２０号公報
【発明の開示】
【発明が解決しようとする課題】
【０００５】
しかしながら、上記特許文献１記載の従来の有効期限付きイモビライザ・システムでは、有効期限管理が車両ローカルで完結しており、マスタ・キーのＩＤコードが確認されることによってサブキーの有効期限を設定（すなわちキーの追加登録）及び更新（延長）することが可能な構成となっている。そのため、サブキーの設定・更新が誰によって行われたか明らかとならず、万が一不正な第三者によってサブキーの有効期限が設定・更新された場合（例えば、車両窃取／強取者が正規ユーザにサブキーの設定・更新を強要した場合、など）にその不正な第三者が誰であるかを特定することができない。
【０００６】
また一方で、平時、正規ユーザが有効期限を更新する際には、所定の操作が必要であるため、煩雑で利便性が良好でないという印象を与える可能性がある。
【０００７】
本発明はこのような課題を解決するためのものであり、正規ユーザの追加登録に車両外部のデータベースへのユーザ登録を必須にすると共に、イモビライザ有効期限の更新処理が自動的に行われる車両盗難防止システム及び車両用盗難防止装置を提供することを主たる目的とする。
【課題を解決するための手段】
【０００８】
上記目的を達成するための第一の態様は、車両に搭載され、通信機能を有し、ユーザから取得したユーザＩＤコードと当該車両に予め登録された照合用ＩＤコードとが一致した場合に当該車両の所定の車載装置の作動を許可する車載装置制御装置（又は車両用盗難防止装置）と、
上記車載装置制御装置と通信する通信局（又はセンタ）と、を含む車両盗難防止システムであって、
上記車載装置制御装置は、
車両ユーザが当該車両の正規ユーザであるか否かを認証するユーザ認証手段と、
当該車両の正規ユーザとして新たに登録する車両ユーザのユーザ情報を取得するユーザ情報取得手段と、
上記ユーザ認証手段により正規ユーザが認証されたときに上記ユーザ情報取得手段によって取得された上記新たに登録する車両ユーザのユーザ情報を上記通信局に転送する転送手段と、を有し、
上記通信局は、
上記車載装置制御装置から受信した上記ユーザ情報を所定の記憶装置に記憶した上で、その旨伝達する通知信号を該ユーザ情報の発信元の車載装置制御装置へ送信し、
上記車載装置制御装置は、更に、
上記通信局から上記通知信号を受信したときに上記新たに登録する車両ユーザから取得したユーザＩＤコードに対応する照合用ＩＤコードを新たに追加登録するコード登録手段とを有する、車両盗難防止システムである。
【０００９】
この第一の態様において、上記所定の車載装置とは、例えば、エンジンなどの動力源の作動に関連する装置（点火装置、燃料噴射装置、エンジンＥＣＵ、など）である。
【００１０】
また、この第一の態様において、上記所定の記憶装置は、上記通信局のローカルに備えられてもよく、或いは、通信接続されたリモートに備えられてもよい。
【００１１】
この第一の態様によれば、車両外部の所定の記憶装置（例えばデータベース等）に新たに登録する車両ユーザのユーザ情報が記憶された場合のみ、正規ユーザの追加登録が可能となるため、例えば車両窃取／強取者などの不正な第三者が正規ユーザに追加登録を強要したとしても車両ローカルだけでは追加登録を完了させることができず、不正な正規ユーザ追加登録が抑制されると共に、仮に不正な第三者による追加登録が為されても、車両外部の所定の記憶装置に記憶されたユーザ情報から容易に身元を特定できる。
【００１２】
したがって、この第一の態様において、上記ユーザ情報とは、住所・氏名・生年月日などのそのユーザの身元を照会するのに十分な個人情報を含むデータであることが好ましく、上記ユーザ情報取得手段は、例えば、運転免許証などの身分証明書を画像として読み取る画像読取装置によって実現される。
【００１３】
なお、この第一の態様において、上記車載装置制御装置が、上記照合用ＩＤコードに有効期限を設定し、管理するコード管理手段を更に有し、このコード管理手段が、上記ユーザ認証手段により車両ユーザが当該車両の正規ユーザであると認証されたときに、そのユーザのユーザＩＤコードに対応する照合用ＩＤコードに設定された有効期限を自動的に更新するようにすれば、ユーザ操作不要でユーザ認証が行われ、自動的にＩＤコードの有効期限が更新されるため、ユーザ利便性が向上する。
【００１４】
このようなユーザ操作が不要のユーザ認証は、例えば、上記ユーザ認証手段が、例えば指紋、声紋、顔面、虹彩、網膜、手のひら静脈などの個人差による生体認証（バイオメトリクス認証）を利用するか、或いは、車両ユーザが保持する無線発信器（例えば非接触式ＩＣカード）から所定のＩＤ信号を（例えばカードリーダで）受信し、予め保持する正規ユーザのＩＤ信号と照合することによって実現される。
【００１５】
上記目的を達成するための本発明の第二の態様は、車両に搭載され、通信機能を有し、ユーザから取得したユーザＩＤコードと当該車両に予め登録された照合用ＩＤコードとが一致した場合に当該車両の所定の車載装置の作動を許可する車両用盗難防止装置であって、
車両ユーザが当該車両の正規ユーザであるか否かを認証するユーザ認証手段と、
当該車両の正規ユーザとして新たに登録する車両ユーザのユーザ情報を取得するユーザ情報取得手段と、
上記ユーザ認証手段により正規ユーザが認証されたときに上記ユーザ情報取得手段によって取得された上記新たに登録する車両ユーザのユーザ情報を第一の通信局に転送する転送手段と、
第二の通信局から上記新たに登録する車両ユーザのユーザ情報が所定の記憶装置に記憶されたことを知らせる信号を受信したときに上記新たに登録する車両ユーザから取得したユーザＩＤコードに対応する照合用ＩＤコードを新たに追加登録するコード登録手段とを有する車両用盗難防止装置である。
【００１６】
この第二の態様において、上記所定の車載装置とは、例えば、エンジンなどの動力源の作動に関連する装置（点火装置、燃料噴射装置、エンジンＥＣＵ、など）である。
【００１７】
また、この第二の態様において、上記第一及び第二の通信局は、同一の通信局であってもよく、上記所定の記憶装置は、上記第一及び第二の通信局のいずれかのローカルに備えられてもよく、或いは、通信接続されたリモートに備えられてもよい。
【００１８】
この第二の態様によれば、車両外部の所定の記憶装置（例えばデータベース等）に新たに登録する車両ユーザのユーザ情報が記憶された場合のみ、正規ユーザの追加登録が可能となるため、例えば車両窃取／強取者などの不正な第三者が正規ユーザに追加登録を強要したとしても車両ローカルだけでは追加登録を完了させることができず、不正な正規ユーザ追加登録が抑制されると共に、仮に不正な第三者による追加登録が為されても、車両外部の所定の記憶装置に記憶されたユーザ情報から容易に身元を特定できる。
【００１９】
したがって、この第二の態様において、上記ユーザ情報とは、住所・氏名・生年月日などのそのユーザの身元を照会するのに十分な個人情報を含むデータであることが好ましく、上記ユーザ情報取得手段は、例えば、運転免許証などの身分証明書を画像として読み取る画像読取装置によって実現される。
【００２０】
なお、この第二の態様において、上記車両用盗難防止装置が、上記照合用ＩＤコードに有効期限を設定し、管理するコード管理手段を更に有し、このコード管理手段が、上記ユーザ認証手段により車両ユーザが当該車両の正規ユーザであると認証されたときに、そのユーザのユーザＩＤコードに対応する照合用ＩＤコードに設定された有効期限を自動的に更新するようにすれば、ユーザ操作不要でユーザ認証が行われ、自動的にＩＤコードの有効期限が更新されるため、ユーザ利便性が向上する。
【００２１】
このようなユーザ操作が不要のユーザ認証は、例えば、上記ユーザ認証手段が、例えば指紋、声紋、顔面、虹彩、網膜、手のひら静脈などの個人差による生体認証（バイオメトリクス認証）を利用するか、或いは、車両ユーザが保持する無線発信器（例えば非接触式ＩＣカード）から所定のＩＤ信号を（例えばカードリーダで）受信し、予め保持する正規ユーザのＩＤ信号と照合することによって実現される。
【発明の効果】
【００２２】
本発明によれば、イモビライザの有効期限の設定・更新にユーザ登録を必須にすると共に、更新処理が自動的に行われる車両用盗難防止装置を提供することができる。
【発明を実施するための最良の形態】
【００２３】
以下、本発明を実施するための最良の形態について、添付図面を参照しながら実施例を挙げて説明する。なお、イモビライザを利用した車両用盗難防止装置の基本概念、主要なハードウェア構成、作動原理、及び基本的な制御手法等については当業者には既知であるため、詳しい説明を省略する。
【実施例】
【００２４】
図１を参照して本発明の一実施例について説明する。図１は、本実施例に係る車両盗難防止システムの概略図である。
【００２５】
車両に搭載される車載装置制御装置（車両用盗難防止装置）１０１は、通信部１０２と、例えばＥＣＵなどの制御部１０３と、例えばカメラやスキャナなどの画像取込部１０４と、車両操作者の生体的特徴を感知する生体認証のためのセンサ部１０５と、車両操作者が保持する非接触式ＩＣカードからの発信信号を読み取るＩＣカードリーダであるリーダ部１０６とを含む。
【００２６】
通信部１０２は、公認機関であって無線通信が可能なセンタ（通信局）１０７と通信する。センタ１０７は、車両から送信された正規ユーザのユーザ情報を格納するユーザ情報データベース（ＤＢ）１０８を備える。
【００２７】
制御部１０３は、イモビライザ・システムを制御するコントローラであって、車両側のキーシリンダに差し込まれたエンジンキーのトランスポンダに予め記録されたユーザＩＤコードを予め保持する照合用ＩＤコードと照合し、両者が一致しなければエンジンＥＣＵ等にエンジンの始動を禁止する旨の指令を出す機能を有する。
【００２８】
また、制御部１０３は、このイモビライザ用ＩＤコードに有効期限を設定し、管理する機能も有する。すなわち、０より大きい有効期限が設定されたＩＤコードを使用可能状態にすると共に、有効期限が０に設定されたＩＤコードを使用不可能とする。また、設定された有効期限が経過したＩＤコードを無効化すると共に、有効期限内に更新されたＩＤコードの有効期限を延長する。
【００２９】
さらに、制御部１０３は、センサ部１０５又はリーダ部１０６から得た生体的特徴又はＩＤ信号についてのデータを予め保持する正規ユーザのデータと照合して、正規ユーザの認証を行う機能も有する。本実施例において、上述のＩＤコードの有効期限の更新は、定期的に又は任意の所定のタイミングで、センサ部１０５及び／又はリーダ部１０６を利用して正規ユーザを認証することによって自動的に行われる。
【００３０】
画像取込部１０４は、新たに当該車両の正規ユーザになろうとする者（以下、単に「新規ユーザ」と称す）の運転免許証又は他の身分証明書を画像情報として取り込み、その画像データを該新規ユーザについてのユーザ情報として制御部１０３へ渡す。
【００３１】
センサ部１０５は、用いられる生体認証の種類に応じて、車両操作者の所定の生体的特徴（例えば、指紋、声紋、顔面、虹彩、網膜、手のひら静脈など）を感知する。
【００３２】
センサ部１０５の設置場所は、車室内の任意の場所でよい。例えば、顔面・虹彩・網膜認証の場合にはインパネに設け、指紋・手のひら静脈認証の場合にはステアリング・ハンドルやシフトレバーに設けることによって、車両操作者に意識させることなく、すなわちユーザ操作無しで、該車両操作者の所定の生体的特徴を感知することができる。センサ部１０５に感知された車両操作者の生体的特徴は制御部１０３に送られ、予め記録されている正規ユーザの生体的特徴と照合される。
【００３３】
リーダ部１０６は、非接触式カードリーダであって、その通信距離はおよそ数十センチメートルであると想定されるため、運転席シート、助手席シート、ダッシュパネル、などの複数箇所に設置される。これにより、車両操作者がＩＣカードを着衣のポケットなどに入れておくことによって、車両操作者に意識させることなく、すなわちユーザ操作無しで、該車両操作者の保持するＩＣカードからＩＤ信号を読み取ることができる。読み取られたＩＤ信号は制御部１０３に送られ、予め保持する正規ユーザのＩＤ信号と照合される。
【００３４】
本実施例に係る車載装置制御装置１０１は、以上のような構成を有する。次いで、本実施例において、車載装置制御装置１０１に新たな正規ユーザを登録する場合の処理について説明する。
【００３５】
ここで、イモビライザ・システムを解除してエンジン等の動力源を始動させることができる車両の正規ユーザを新たに追加登録するということは、すなわち、その新たに追加登録しようとする車両ユーザのエンジンキーのトランスポンダに記憶されたＩＤコードに対応するＩＤコードを正規ユーザ用と認識し保持しておくことを意味する。
【００３６】
まず、正規ユーザの追加登録処理は正規ユーザしか行うことができないため、センサ部１０５及び／又はリーダ部１０６によって、操作者が正規ユーザであることを認証する。
【００３７】
正規ユーザであることが認証されると、次いで、例えば図示しないスピーカから音声で及び／又は図示しないディスプレイから視覚的に、正規ユーザ及び／又は新規ユーザに該新規ユーザの身元照会が十分に可能な身分証明書（運転免許証等）の提示が要求され、画像取込部１０４が、新規ユーザの身分証明書の画像を取り込む。
【００３８】
制御部１０３は、画像取込部１０４から得た新規ユーザのユーザ情報を通信部１０２を介してセンタ１０７へ送信し、ユーザ登録を要求する。センタ１０７は、車載装置制御装置１０１からユーザ情報を受信すると、そのユーザ情報の内容が対象者の身元を特定するのに十分な情報を含んでいるか否かを判断する。身元特定情報として十分であれば、その受信したユーザ情報をユーザ情報データベース１０８に格納した上で、ユーザ登録が完了したこと示す通知信号を車載装置制御装置１０１へ返す。身元を特定するには不十分な情報である場合、ユーザ登録が不可である旨、車載装置制御装置１０１に伝達する。
【００３９】
制御部１０３は、通信部１０２を介してセンタ１０７からユーザ登録完了を示す信号を受信すると、以降、新規ユーザのＩＤコードを正規ユーザのＩＤコードとして扱う。すなわち、この新規ユーザがエンジンキーをキーシリンダに差し込むと、エンジンの始動が許可される。逆に、このユーザ登録完了を示す信号がセンタ１０７から受信されない限り、制御部１０３は新たな正規ユーザの追加登録を許可しない。
【００４０】
正規ユーザとして追加登録されると、有効期限更新のために、センサ部１０５及び／又はリーダ部１０６を用いて、その新規ユーザの生体的特徴及び／又はＩＤ信号も取り込まれる。
【００４１】
このように、本実施例によれば、車両外部のデータベースにユーザ情報が登録されなければ正規ユーザとして追加登録されないため、不正な正規ユーザ追加登録が抑制されると共に、仮に不正な追加登録が為されても車両外部のデータベースに記憶されたユーザ情報から容易に身元を特定できる。
【００４２】
また、本実施例によれば、イモビライザ・システムのＩＤコードに設定された有効期限が例えば正規ユーザが当該車両を運転中のときなど正規ユーザが認証されるときに自動的に更新されるため、ユーザ操作が不要であり、ユーザ利便性が向上する。
【００４３】
なお、本実施例においては、車載装置制御装置１０１が所定の通信局１０７と通信する場合について説明したが、本発明はこれに限られず、車載装置制御装置１０１の登録要求送信先と登録完了の発信元は異なる通信局であってもよい。
【００４４】
また、本実施例においては、ユーザ情報データベース１０８が通信局１０７のローカルに備えられている場合について説明したが、本発明はこれに限られず、データベース１０８は通信局１０７と通信接続されたリモートに備えられてもよい。
【００４５】
また、本実施例では、車載装置制御装置１０１が、センサ部１０５及びリーダ部１０６を備える場合について説明したが、本発明はこれに限られず、いずれか一方のみが備えられるようにしてもよい。すなわち、いずれか一方のユーザ認証方法のみが用いられてもよい。
【産業上の利用可能性】
【００４６】
本発明は、車両盗難防止システム及び車両用盗難防止装置に利用できる。対象となる車両の外観、重量、サイズ、走行性能等は問わない。
【図面の簡単な説明】
【００４７】
【図１】本発明の一実施例に係る車両盗難防止システムの概略図である。
【符号の説明】
【００４８】
１０１  車載装置制御装置（車両用盗難防止装置）
１０２  通信部
１０３  制御部
１０４  画像取込部
１０５  センサ部
１０６  リーダ部
１０７  センタ（通信局）
１０８  ユーザ情報データベース（ＤＢ）
【図１】
2005254868.tif 000003